(57)【要約】【課題】プロジェクターの位置が傾くことを抑制することで設置の利便性を向上させるテーブル設置装置を提供する。【解決手段】テーブル設置装置１は、プロジェクター７と固定される固定部材５０と、固定部材５０を保持することによりプロジェクター７を保持し、テーブル９００の天板上面９０１ａに対して起立して設置される第１保持部材１０と、第１保持部材１０と接合され、天板上面９０１ａに設置される第２保持部材２０と、第２保持部材２０と接合され、天板９０１を第２保持部材２０との間に挟持するクランプ部３０と、を備えている。【選択図】図２
2013238727.tif 000002
【特許請求の範囲】
【請求項１】
プロジェクターをテーブルに設置するテーブル設置装置であって、
前記プロジェクターと固定される固定部材と、
前記固定部材を保持することにより前記プロジェクターを保持し、前記テーブルの天板面に対して起立して設置される第１保持部材と、
前記第１保持部材と接合され、前記天板面に設置される第２保持部材と、
前記第２保持部材と接合され、前記天板を前記第２保持部材との間に挟持するクランプ部と、
を備えていることを特徴とするテーブル設置装置。
【請求項２】
請求項１に記載のテーブル設置装置であって、
前記クランプ部は、
回動により前記天板を前記第２保持部材との間に押圧して挟持するネジ部材と、
前記第２保持部材と接合され、前記ネジ部材を螺合して保持するネジ保持部材と、
を備えていることを特徴とするテーブル設置装置。
【請求項３】
請求項２に記載のテーブル設置装置であって、
前記ネジ保持部材は、前記ネジ部材を螺合して前記天板面に沿う方向に移動可能な移動部を有していることを特徴とするテーブル設置装置。
【請求項４】
請求項１〜請求項３のいずれか一項に記載のテーブル設置装置であって、
前記第１保持部材および／または前記第２保持部材は、管状でＵ字状に形成されていることを特徴とするテーブル設置装置。
【請求項５】
請求項１〜請求項４のいずれか一項に記載のテーブル設置装置であって、
前記プロジェクターと電気的に接続され、前記プロジェクターから投写された投写画像に対して行う操作情報を前記プロジェクターに送信する撮像装置が、前記固定部材および／または前記第１保持部材に固定されていることを特徴とするテーブル設置装置。
【発明の詳細な説明】
【技術分野】
【０００１】
本発明は、プロジェクター用のテーブル設置装置に関する。
【背景技術】
【０００２】
従来、プロジェクターは、壁掛け装置や天吊り装置を用いて壁や天井等に設置され、壁面に設置されたスクリーン等に画像を投写させて使用されることがある。また、プロジェクターは、テーブル設置装置を用いてテーブルに設置され、設置されたテーブルの天板面に画像を投写させて使用されることもある。
【０００３】
図７は、非特許文献１に開示されるテーブル設置装置８を示す図であり、図７（ａ）は斜視図であり、図７（ｂ）は側面図である。
図７に示すように、テーブル設置装置８は、プロジェクター７に設置される固定部材８０と、固定部材８０を保持してテーブル９００の天板９０１に略垂直に設置される第１保持部材８１と、を備えている。また、テーブル設置装置８は、第１保持部材８１と接合され、天板上面９０１ａに設置される第２保持部材８２を備えている。また、テーブル設置装置８は、第１保持部材８１と第２保持部材８２とに接合され、第２保持部材８２との間に天板９０１を挟持するクランプ部８３を備えている。また、クランプ部８３は、ネジ部材８４とネジ部材８４を螺合して移動可能に保持するネジ保持部材８５とで構成されている。
【０００４】
テーブル設置装置８の天板９０１への設置（固定）は、最初にテーブル設置装置８を天板９０１の側面方向から挿入し、第２保持部材８２を天板上面９０１ａに位置させ、ネジ部材８４が天板下面９０１ｂに設置されるフレーム９０２を乗り越えるように設置する。その後、ネジ部材８４のパッド８４３が、天板下面９０１ｂを押圧するようにネジ部材８４のノブ８４２を回動する。これにより、テーブル設置装置８は、ネジ部材８４（クランプ部８３）の締め付けにより、第２保持部材８２との間に天板９０１を挟持することで、天板９０１に固定される。このテーブル設置装置８により、天板９０１が厚い場合や、天板下面９０１ｂにフレーム９０２等の障害物等がある場合にも設置することができる。
【先行技術文献】
【非特許文献】
【０００５】
【非特許文献１】セイコーエプソン株式会社、″ニュースリリース″、テーブル投写金具（ELPMB29）、［online］、2011年12月14日、［2012年4月25日検索］、インターネット〈URL：http://www.epson.jp/osirase/2011/111214.htm〉
【発明の概要】
【発明が解決しようとする課題】
【０００６】
上述したテーブル設置装置８は、ネジ部材８４を適度に回転させて適正な締付力で天板９０１を締め付けた場合には、クランプ部８３のネジ保持部材８５が変形することはない。しかし、ネジ部材８４を過度に回転させて過剰な締付力で締め付けた場合には、ネジ保持部材８５が変形する場合がある。テーブル設置装置８は、ネジ保持部材８５が変形した場合、ネジ保持部材８５と接合する第１保持部材８１に変形による応力が伝達され、天板上面９０１ａに対して略垂直に設置される第１保持部材８１が若干傾斜するという課題がある。
【０００７】
第１保持部材８１が傾斜してプロジェクター７の位置が傾くことにより、プロジェクター７から天板上面９０１ａに投写された投写形状は、所定の形状（通常は長方形や正方形）とはならずに、歪んだ形状（例えば台形形状等）で投写される。このため、プロジェクター７の位置が傾く場合には、プロジェクター７に組み込まれる投写補正機能を動作させて、歪んだ形状が所定の形状となるように調整する必要があった。このように、テーブル設置装置８を設置した後に、投写された投写形状の調整を行うことが、テーブル設置装置８の設置に対する利便性を低下させるという課題があった。
【０００８】
従って、過剰な締め付け力が加わった場合にもプロジェクターの位置が傾くことを抑制することで、設置の利便性を向上させるテーブル設置装置が要望されていた。
【課題を解決するための手段】
【０００９】
本発明は、上述した課題の少なくとも一部を解決するためになされたものであり、以下の形態または適用例として実現することが可能である。
【００１０】
［適用例１］本適用例に係るテーブル設置装置は、プロジェクターをテーブルに設置するテーブル設置装置であって、プロジェクターと固定される固定部材と、固定部材を保持することによりプロジェクターを保持し、テーブルの天板面に対して起立して設置される第１保持部材と、第１保持部材と接合され、天板面に設置される第２保持部材と、第２保持部材と接合され、天板を第２保持部材との間に挟持するクランプ部と、を備えていることを特徴とする。
【００１１】
このようなテーブル設置装置によれば、固定部材がプロジェクターと固定される。そして、第１保持部材は、テーブルの天板面に対して起立して設置され、固定部材を介してプロジェクターを保持する。第２保持部材は、第１保持部材と接合され、天板面に設置される。クランプ部は、第２保持部材と接合されて天板を第２保持部材との間に挟持する。この構成により、クランプ部は、第２保持部材に接合しており、第１保持部材には直接接合されない。言い換えると、クランプ部は、第２保持部材を介して、第１保持部材と接続されている。従って、過剰な締め付け力が加わることにより、クランプ部が変形しても、その変形による応力が第１保持部材に直接伝わらないため、クランプ部の変形による影響を第１保持部材に伝えることを抑制できる。これにより、クランプ部の変形による第１保持部材の傾きを抑制できるため、第１保持部材に固定部材を介して保持されるプロジェクターの位置が傾くことを抑制することができる。従って、テーブル設置装置をテーブルに設置した後、投写された投写形状は所定の投写形状で投写され、歪むことを抑制できるため、所定の投写形状となるように調整する必要がなくなり、テーブル設置装置の設置に対する利便性が向上する。
【００１２】
［適用例２］上記適用例に係るテーブル設置装置において、クランプ部は、回動により天板を第２保持部材との間に押圧して挟持するネジ部材と、第２保持部材と接合され、ネジ部材を螺合して保持するネジ保持部材と、を備えていることが好ましい。
【００１３】
このようなテーブル設置装置によれば、クランプ部が、回動により天板を第２保持部材との間に押圧して挟持するネジ部材と、第２保持部材と接合され、ネジ部材を螺合して保持するネジ保持部材とを備えることにより、天板の厚さが厚い場合や、天板の裏面側に例えばフレーム等の障害物を有している場合等においても、天板を挟持することができる。また、ネジ部材が過度に回動されて、過剰な締め付け力が加わることにより、クランプ部が変形しても、その変形による応力が第１保持部材に直接伝わらないため、クランプ部の変形による影響を第１保持部材に伝えることを抑制できる。
【００１４】
［適用例３］上記適用例に係るテーブル設置装置において、ネジ保持部材は、ネジ部材を螺合して天板面に沿う方向に移動可能な移動部を有していることが好ましい。
【００１５】
このようなテーブル設置装置によれば、ネジ保持部材がネジ部材を螺合して天板面に沿う方向に移動可能な移動部を有していることにより、天板の裏面側に例えばフレーム等の障害物を有している場合等においても、移動部を移動させることにより、障害物を避けて天板を挟持することができるため、設置の自由度が向上する。
【００１６】
［適用例４］上記適用例に係るテーブル設置装置において、第１保持部材および／または第２保持部材は、管状でＵ字状に形成されていることが好ましい。
【００１７】
このようなテーブル設置装置によれば、第１保持部材および／または第２保持部材が管状でＵ字状に形成されることにより、第１保持部材および／または第２保持部材を簡易に構成でき、また、剛性を向上させることができる。
【００１８】
［適用例５］上記適用例に係るテーブル設置装置において、プロジェクターと電気的に接続され、プロジェクターから投写された投写画像に対して行う操作情報をプロジェクターに送信する撮像装置が、固定部材および／または第１保持部材に固定されていることが好ましい。
【００１９】
このようなテーブル設置装置によれば、クランプ部の変形による影響を抑制できる固定部材や第１保持部材に撮像装置が固定されることにより、プロジェクターから所定の投写形状で画像が投写され、撮像装置は、所定の投写形状と対応させた投写画像に対して行う操作情報をプロジェクターに送信することができる。従って、撮像装置を所定の投写形状に合わせる調整を行うことなく使用することができるため、テーブル設置装置の利便性が向上する。
【図面の簡単な説明】
【００２０】
【図１】第１実施形態に係るテーブル設置装置を用いてプロジェクターを天板に設置した状態を示す斜視図。
【図２】テーブル設置装置の斜視図。
【図３】テーブル設置装置の分解図。
【図４】テーブル設置装置を天板に設置した状態の側面図。
【図５】第２実施形態に係るテーブル設置装置を用いてプロジェクターを天板に設置した状態を示す斜視図。
【図６】テーブル設置装置を天板に設置した場合の平面図。
【図７】従来のテーブル設置装置を示す斜視図。
【発明を実施するための形態】
【００２１】
以下、実施形態を図面に基づいて説明する。
（第１実施形態）
【００２２】
図１は、第１実施形態に係るテーブル設置装置１を用いてプロジェクター７を天板９０１に設置した状態を示す斜視図である。なお、図１は、テーブル設置装置１を後方向から見た斜視図である。図２は、テーブル設置装置１の斜視図である。なお、図２は、テーブル設置装置１を前方向から見た斜視図である。図３は、テーブル設置装置１の分解図である。なお、図３は、テーブル設置装置１を後方向から見た分解図を示している。図４は、テーブル設置装置１を天板９０１に設置した状態の側面図である。図１〜図４を参照して、テーブル設置装置１の構成および設置方法を説明する。
【００２３】
図１に示すように、本実施形態のテーブル設置装置１は、プロジェクター７をテーブル９００に設置する装置である。そして、設置されたプロジェクター７は、テーブル９００の天板９０１の上面（以降、天板上面９０１ａ）に画像を投写（図４参照）する。
【００２４】
テーブル設置装置１は、図１に示すように、大略、固定部材５０と第１保持部材１０と第２保持部材２０とクランプ部３０とを備えて構成されている。固定部材５０は、プロジェクター７の固定部（図示省略）に設置され、第１保持部材１０に保持される。第１保持部材１０は、固定部材５０を保持することによりプロジェクター７を保持し、天板上面９０１ａに対して起立して設置される。第２保持部材２０は、第１保持部材１０と接合され、天板上面９０１ａに沿って設置される。クランプ部３０は、第２保持部材２０と接合され、第２保持部材２０との間に天板９０１を挟持する。
【００２５】
プロジェクター７は、光源（図示省略）から射出された光束を、画像信号に基づき、光変調素子（図示省略）で変調して光学像を形成し、形成した光学像を、投写レンズ（図示省略）を介して画像光として天板上面９０１ａに投写する装置である。本実施形態のプロジェクター７は、短焦点の投写レンズを備えたプロジェクターとして構成されている。
【００２６】
本実施形態を説明する図面において、天板上面９０１ａの法線方向をＺ方向（上下方向）として、重力方向を−Ｚ方向（下方向）、重力方向とは逆方向を＋Ｚ方向（上方向）とする。また、Ｚ方向に直交し、プロジェクター７が画像光を投写する方向と平行な方向をＸ方向（前後方向）として、画像光を投写する方向を＋Ｘ方向（前方向）、逆方向を−Ｘ方向（後方向）とする。また、Ｚ方向（上下方向）とＸ方向（前後方向）とに直交する方向をＹ方向（左右方向）として、図２（ａ）に示す前方向から見たテーブル設置装置１に向き合い、左手方向を−Ｙ方向（左方向）、右手方向を＋Ｙ方向（右方向）とする。なお、方向を表すＸ（前後），Ｙ（左右），Ｚ（上下）は、以降の説明において適宜使用する。
【００２７】
固定部材５０は、図１、図２に示すように、プロジェクター７を固定し、後述する第１保持部材１０に固定される部材である。固定部材５０は、図２、図３に示すように、板金の曲げ加工等で形成されている。固定部材５０は、略矩形状の固定部材本体５０１を有する。
【００２８】
固定部材本体５０１には、図２、図３に示すように、プロジェクター７の底面７ｂ（図１参照）に形成される固定部（図示省略）に、ネジＳＣ１を用いてネジ固定するための孔部５０２が４つ形成されている。また、固定部材本体５０１の左右方向（Ｙ方向）の端部は、後方向（−Ｘ方向）に曲折され、その先端部は互いに接近するように曲折される固定片（左方向の固定片５０３、右方向の固定片５０４）が形成されている。
【００２９】
左方向（−Ｙ方向）の固定片５０３は、先端部が２つに分かれ、段差を有して右方向（＋Ｙ方向）に曲折されている。なお、固定片５０３の２つに分かれた先端部において、後方向（−Ｘ方向）で曲折される部分を片５０３ａ、前方向（＋Ｘ方向）で曲折される部分を片５０３ｂとする。また、右方向（＋Ｙ方向）の固定片５０４は、固定片５０３と同様に先端部が２つに分かれ、同様の段差を有して左方向に曲折されている。なお、固定片５０４において、後方向（−Ｘ方向）で曲折される部分を片５０４ａ、前方向（＋Ｘ方向）で曲折される部分を片５０４ｂとする。そして、片５０３ｂ，５０４ｂには、ネジ孔５０５がそれぞれ１つ形成されている。
【００３０】
また、固定部材本体５０１の下方向（−Ｚ方向）端部の左右側には、後方向（−Ｘ方向）に曲折され、その先端部が上方向（＋Ｚ方向）に曲折される固定片（左方向の固定片５０６、右方向の固定片５０７）が形成されている。
【００３１】
固定部材５０を第１保持部材１０に保持させる場合、固定片５０３，５０４の曲折された段差の領域（片５０３ａと片５０３ｂとの間、および片５０４ａと片５０４ｂとの間）と、固定片５０３，５０６の曲折された段差の領域（片５０３ａと片５０６ａとの間）と、固定片５０４，５０７の曲折された段差の領域（片５０４ａと片５０７ａとの間）とに、第１保持部材１０を挿通する。
【００３２】
第１保持部材１０は、図１、図２に示すように、第２保持部材２０と接合され、固定部材５０（固定部材５０に固定されたプロジェクター７）を固定する部材である。第１保持部材１０は、固定部材５０（プロジェクター７）の固定位置を上下方向２段に調整可能な構造となっている。なお、第１保持部材１０は、テーブル９００に設置された場合、天板上面９０１ａに対して略垂直となるように起立した状態で設置される。
【００３３】
第１保持部材１０は、図３に示すように、断面矩形状の金属製の管状部材をＵ字状に曲折して形成されている。第１保持部材１０は、曲折する曲折部１０１と、曲折部１０１に接続してそれぞれ略平行に真っ直ぐに延びるストレート部１０２とで構成されている。
【００３４】
また、２つのストレート部１０２の曲折部１０１と接続する部分の近傍には、ネジＳＣ２を後方向から前方向に挿通して、固定部材５０を第１保持部材１０にネジ固定するための孔部１０３が各ストレート部１０２に上下２つ形成されている。
【００３５】
また、左側（−Ｙ方向）のストレート部１０２の左側面には、それぞれ上下方向にネジ孔１０４（下方向のネジ孔１０４は図示省略）が形成されている。また、右側（＋Ｙ方向）のストレート部１０２の右側面にも、左側のストレート部１０２と同様に、それぞれ上下方向にネジ孔１０４（図示省略）が形成されている。このネジ孔１０４には、ネジＳＣ３が螺合される。
【００３６】
ネジ孔１０４に螺合されたネジＳＣ３は、固定部材５０の位置調整（天板上面９０１ａに対する高さ調整）を行う際に、固定部材５０をネジＳＣ３の頭部に当接させることで位置決めすることに使用される。なお、第１保持部材１０のネジ孔１０４において、本実施形態では、下側（−Ｚ方向）となるそれぞれのネジ孔１０４には、ネジＳＣ３が初期的に螺合されている。
【００３７】
第２保持部材２０は、図１、図２に示すように、第１保持部材１０と接合され、また、後述するクランプ部３０と接合される部材である。第２保持部材２０は、クランプ部３０と協働して天板９０１を挟持する。第２保持部材２０は、図１、図４に示すように、天板上面９０１ａに設置される部材である。
【００３８】
第２保持部材２０は、図３に示すように、第１保持部材１０と同様に、断面矩形状の金属製の管状部材をＵ字状に曲折して形成されている。なお、Ｕ字状に曲げられた両端となる第１ストレート部２０１は、それぞれ略平行で、その間隔は、設置するプロジェクター７の幅より広くなるように形成されている。
【００３９】
また、第２保持部材２０において、第１ストレート部２０１を結ぶ真っ直ぐな部分を第２ストレート部２０２とする。なお、第２保持部材２０は、テーブル９００に設置された場合、天板上面９０１ａに沿って第１ストレート部２０１の先端部２０１ａ（図２参照）が前方向（＋Ｘ方向）を向く状態に設置される。
【００４０】
第１保持部材１０と第２保持部材２０とは、図１、図２に示すように、溶接により互いに接合される。詳細には、図１に示すように、第２保持部材２０を天板上面９０１ａに沿って設置した状態で、第２保持部材２０の第２ストレート部２０２の中央部の上側面２０２ａに、第１保持部材１０の両側のストレート部１０２の先端部を位置させ、天板上面９０１ａに対して第１保持部材１０が垂直となるように、先端部を第２ストレート部２０２に溶接している。
【００４１】
クランプ部３０は、図１、図２に示すように、第２保持部材２０に接合され、第２保持部材２０と共に天板９０１を挟持する部材である。クランプ部３０は、図２、図３に示すように、天板９０１を第２保持部材２０との間に押圧して挟持するネジ部材３１と、第２保持部材２０と接合されてネジ部材３１を螺合して保持するネジ保持部材３２と、を備えている。また、ネジ保持部材３２は、ネジ部材３１を螺合してネジ保持部材３２の上面３２３ａに沿う方向に移動可能な移動部３３を備えている。
【００４２】
ネジ保持部材３２は、板金の曲げ加工等で形成されている。ネジ保持部材３２は、略矩形状の保持部材本体３２１を有する。保持部材本体３２１の上方向（＋Ｚ方向）端部の角部には、前方向（＋Ｘ方向）に曲折する２つの片部３２２が形成されている。また、保持部材本体３２１の下方向（−Ｚ方向）端部には、前方向（＋Ｘ方向）に曲折された片部３２３が形成されている。
【００４３】
片部３２３には、図３に示すように、ネジ部材３１を前後方向（Ｘ方向）に移動可能とする長孔部３２４が３つ平行に形成されている。長孔部３２４は、後述する移動部３３を片部３２３の上面３２３ａに沿って前後方向（Ｘ方向）に移動可能に構成される。
【００４４】
また、片部３２３の上面３２３ａには、３つの長孔部３２４の間に、長孔部３２４に沿って、断面Ｌ字形状の補強部材３２５が２つ設置されている。補強部材３２５は、ネジ部材３１の過度な締め付けによるネジ保持部材３２の変形を軽減している。
【００４５】
移動部３３は、略矩形状に形成され、長孔部３２４の内周部に案内される溝部（図示省略）と、ネジ部材３１と螺合してネジ部材３１を回動可能とするネジ孔３３１とが形成される。移動部３３は、溝部を長孔部３２４の内周と上下面とに案内されて、長孔部３２４に沿って移動可能となる。
【００４６】
ネジ保持部材３２と第２保持部材２０とは、図１、図２に示すように、溶接により互いに接合される。詳細には、図１に示すように、第２保持部材２０を天板上面９０１ａに沿って設置した状態で、第２保持部材２０の第２ストレート部２０２の端部の上側面２０２ａに、ネジ保持部材３２の２つの片部３２２を位置させ、片部３２２を第２ストレート部２０２に溶接している。
【００４７】
ネジ部材３１は、ネジ切り加工されたネジ部３１１と、ネジ部３１１の一方の先端部に固定されてネジ部３１１を回動させるノブ３１２と、ネジ部３１１の他方の先端部に回動可能に固定されるパッド３１３とを備えている。
【００４８】
ネジ部材３１は、ノブ３１２が固定されたネジ部３１１を移動部３３のネジ孔３３１に下方向（−Ｚ方向）から螺合させた後、移動部３３から上方向（＋Ｚ方向）に延出したネジ部３１１の他方の先端部にパッド３１３を固定する。これにより、ネジ保持部材３２が、移動部３３（ネジ保持部材３２）に保持される。
【００４９】
次に、テーブル設置装置１のテーブル９００（天板９０１）への設置の仕方、およびプロジェクター７のテーブル設置装置１への設置の仕方に関して説明する。
【００５０】
テーブル設置装置１をテーブル９００に設置する場合、固定部材５０を最終的に取り付ける第１保持部材１０と分離する。そして、固定部材５０を除いたテーブル設置装置１をテーブル９００（天板９０１）に設置する。なお、分離した固定部材５０は、プロジェクター７に固定する。
【００５１】
固定部材５０を除いたテーブル設置装置１をテーブル９００に設置する場合、最初に、このテーブル設置装置１を天板９０１の側面方向から挿入する。そして、図４に示すように、第２保持部材２０を天板上面９０１ａに位置させると共に、ネジ部材３１を天板下面９０１ｂに設置されるフレーム９０２を乗り越えさせて設置する。
【００５２】
本実施形態の移動部３３は、ネジ保持部材３２の上面３２３ａに沿う方向（言い換えると、天板上面９０１ａに沿う方向）に移動可能である。従って、ネジ部材３１がフレーム９０２を乗り越える位置とさせる場合、ネジ部材３１を把持して、移動部３３を長孔部３２４に沿って移動させて調整する。
【００５３】
次に、ネジ部材３１のノブ３１２を回転させてネジ部３１１を移動部３３から上方向（＋Ｚ方向）に延出させ、パッド３１３を天板下面９０１ｂに当接させる。そして、ノブ３１２を更に回転させて（締め付けて）、パッド３１３に天板下面９０１ｂを押圧させて仮固定する。これにより、テーブル設置装置１を天板９０１に固定（仮固定）することができる。
【００５４】
次に、プロジェクター７を設置する高さを決めるために、ネジＳＣ３をネジ孔１０４に螺合させる。なお、上述したように、第１保持部材１０の下側（−Ｚ方向）となるそれぞれのネジ孔１０４には、ネジＳＣ３が初期的に螺合されている。従って、プロジェクター７を下側（−Ｚ方向）の高さとする場合は、この状態のままでよい。
【００５５】
しかし、本実施形態のように、プロジェクター７を上側（＋Ｚ方向）の高さとする場合は、上側のネジ孔１０４にネジＳＣ３をそれぞれ螺合させる。この場合、下側のネジ孔１０４に初期的に螺合しているネジＳＣ３は、そのままで、上側のネジ孔１０４にネジＳＣ３を螺合させることでよい。
【００５６】
次に、プロジェクター７を保持して、第１保持部材１０に設置する。詳細には、固定部材５０の段差の領域に、第１保持部材１０のストレート部１０２を挿通するように、第１保持部材１０の上方向から、プロジェクター７に固定した固定部材５０を設置する。なお、固定部材５０の段差の領域とは、片５０３ａと片５０３ｂとの間、片５０３ａと片５０６ａとの間、片５０４ａと片５０４ｂとの間、片５０４ａと片５０７ａとの間である。
【００５７】
固定部材５０の段差の領域に、第１保持部材１０のストレート部１０２の上端部を挿通させ、更に固定部材５０を下方向に移動させた場合、固定部材５０は、ネジＳＣ３に当接して下方向への移動が止められる。これで、固定部材５０（プロジェクター７）の設置高さが決められる。
【００５８】
その後、第１保持部材１０の上方向の孔部１０３にネジＳＣ２を挿通し、固定部材５０の片５０３ｂ，５０４ｂのそれぞれのネジ孔５０５にネジＳＣ２を螺合させる。これにより、固定部材５０（プロジェクター７）を第１保持部材１０に保持して、固定することができる。
【００５９】
次に、仮固定していたネジ部材３１のノブ３１２を再度回転して締め付けることにより、テーブル設置装置１を天板９０１に本固定する。これにより、テーブル設置装置１は、図４に示すように、天板９０１を第２保持部材２０とクランプ部３０とにより挟持して、プロジェクター７を保持する状態となる。
以上の組み立てにより、テーブル設置装置１の天板９０１への設置と、プロジェクター７のテーブル設置装置１への設置が完了する。
【００６０】
図４に示すように、テーブル設置装置１に設置したプロジェクター７から実際に画像を天板上面９０１ａに投写（図４に二点鎖線で示す）させた場合、本実施形態では、プロジェクター７を上側の位置に設置しているため、下側の位置に設置した場合に比較して、投写形状のサイズは拡大されて投写される。
【００６１】
本実施形態のプロジェクター７は、ズーム調整ダイヤル（図示省略）を備えているため、投写形状のサイズを拡大および縮小することができる。従って、ユーザーは、ズーム調整ダイヤルを回動させることにより、天板上面９０１ａの面積に対応させて、投写形状のサイズを拡大および縮小することができる。
【００６２】
本実施形態において、クランプ部３０のネジ部材３１を過度に回転させ、過剰な締め付け力で天板下面９０１ｂを締め付けた場合、ネジ保持部材３２が変形する。しかし、本実施形態のクランプ部３０は、第２保持部材２０に接合されており、第１保持部材１０には直接接合されていない。言い換えると、クランプ部３０は、第２保持部材２０を介して、第１保持部材１０と接続されている。
【００６３】
従って、クランプ部３０のネジ保持部材３２が変形しても、その変形による応力が第１保持部材１０に直接伝わらないため、ネジ保持部材３２の変形による影響を第１保持部材１０に伝えることを抑制している。従って、ネジ保持部材３２が変形しても、第１保持部材１０は、天板上面９０１ａに対して傾くことを抑制される。
【００６４】
これにより、図４に示すように、プロジェクター７から投写された投写画像の投写形状は、所定の投写形状およびサイズで投写され、歪むことを抑制することができる。なお、本実施形態の所定の投写形状とは、縦・横のアスペクト比が設定された、長方形や正方形の形状となる。従って、本実施形態のテーブル設置装置１を使用した場合、プロジェクター７から投写された投写画像の投写形状は、所定の投写形状およびサイズで天板上面９０１ａに投写されるため、即座に投写画像を使用することができる。
【００６５】
なお、例えば、投写形状が矩形状に設定されおり、第１保持部材１０が前方向（＋Ｘ方向）に傾いた場合には、前方向の辺が短く、後方向の辺が長くなる台形形状として投写される。また、逆に、第１保持部材１０が後方向（−Ｘ方向）に傾いた場合には、前方向の辺が長く、後方向の辺が短くなる台形形状として投写される。このような場合には、プロジェクター７に組み込まれる投写補正機能を動作させて、歪んだ形状（台形形状）が矩形状となるように調整する必要があり、調整に時間がかかる。
【００６６】
上述した第１実施形態によれば、以下の効果が得られる。
【００６７】
本実施形態のテーブル設置装置１は、固定部材５０がプロジェクター７と固定される。そして、第１保持部材１０は、テーブル９００の天板上面９０１ａに対して起立して設置され、固定部材５０を介してプロジェクター７を保持する。第２保持部材２０は、第１保持部材１０と接合され、天板上面９０１ａに設置される。クランプ部３０は、第２保持部材２０と接合されて天板９０１を第２保持部材２０との間に挟持する。この構成により、クランプ部３０は、第２保持部材２０に接合しており、第１保持部材１０には直接接合されない。言い換えると、クランプ部３０は、第２保持部材２０を介して、第１保持部材１０と接続されている。従って、過剰な締め付け力が加わることにより、クランプ部３０が変形しても、その変形による応力が第１保持部材１０に直接伝わらないため、クランプ部３０の変形による影響を第１保持部材１０に伝えることを抑制できる。
【００６８】
これにより、クランプ部３０の変形による第１保持部材１０の傾きを抑制できるため、第１保持部材１０に固定部材５０を介して保持されるプロジェクター７の位置が傾くことを抑制することができる。従って、テーブル設置装置１をテーブル９００に設置した後、投写された投写形状は所定の投写形状で投写され、歪むことを抑制できるため、所定の投写形状となるように調整する必要がなくなり、テーブル設置装置１の設置に対する利便性が向上する。
【００６９】
本実施形態のテーブル設置装置１は、クランプ部３０が、回動により天板９０１を第２保持部材２０との間に押圧して挟持するネジ部材３１と、第２保持部材２０と接合され、ネジ部材３１を螺合して保持するネジ保持部材３２とを備えることにより、天板９０１の厚さが厚い場合や、天板下面９０１ｂにフレーム９０２を有していても、天板９０１を挟持することができる。また、ネジ部材３１が過度に回動されて、過剰な締め付け力が加わることにより、クランプ部３０（ネジ保持部材３２）が変形しても、その変形による応力が第１保持部材１０に直接伝わらないため、ネジ保持部材３２の変形による影響を第１保持部材１０に伝えることを抑制できる。
【００７０】
本実施形態のテーブル設置装置１は、ネジ保持部材３２が、ネジ部材３１を螺合して天板上面９０１ａに沿う方向に移動可能な移動部３３を有していることにより、天板下面９０１ｂにフレーム９０２を有していても、移動部３３を移動させることにより、フレーム９０２を避けて天板９０１を挟持することができるため、設置の自由度が向上する。
【００７１】
本実施形態のテーブル設置装置１は、第１保持部材１０および第２保持部材２０が管状でＵ字状に形成されることにより、第１保持部材１０および第２保持部材２０を簡易に構成でき、また、剛性を向上させることができる。
【００７２】
本実施形態のテーブル設置装置１は、第１保持部材１０および第２保持部材２０が管状でＵ字状に形成されることにより、シンプルであると共に見栄えも向上させることができる。
（第２実施形態）
【００７３】
図５は、第２実施形態に係るテーブル設置装置２を用いてプロジェクター７１を天板９０１に設置した状態を示す斜視図である。なお、図５は、テーブル設置装置２を後方向から見た斜視図である。図６は、テーブル設置装置２を天板９０１に設置した場合の平面図である。なお、図６は、テーブル設置装置２とテーブル９００とを上方向から見た平面図を示すと共に、プロジェクター７１から投写される投写画像の投写外形Ａと撮像装置６の撮像外形Ｂとを示している。図５、図６を参照して、テーブル設置装置２の構成および動作を説明する。
【００７４】
図５に示すように、本実施形態のテーブル設置装置２は、第１実施形態のテーブル設置装置１と比較して、固定部材６０の構成が、第１実施形態の固定部材５０の構成と異なっている。その他の構成は第１実施形態と同様である。本実施形態の固定部材６０は、大略、第１実施形態の固定部材５０に装置固定部６１が付加された構造となっており、それ以外は、固定部材５０と同様に構成されている。なお、同様な構成には同様の符号を付記する。
【００７５】
本実施形態の固定部材６０は、図５に示すように、プロジェクター７１と撮像装置６とを所定の位置に固定するための部材である。固定部材６０には、固定部材本体５０１の左方向（−Ｙ方向）の固定片５０３に、撮像装置６を固定する装置固定部６１が設置されている。装置固定部６１は、固定片５０３の左方向に設置され、撮像装置６を固定する固定板６１１と、固定板６１１を固定片５０３に支持する固定板支持部材６１２とで構成されている。
【００７６】
固定板支持部材６１２は、２つの棒状部材で構成されており、その両端部は、ネジ切り加工が施されている。固定板６１１は、金属板を略垂直に曲折した状態に形成されている。固定板６１１の一方の側は、２つの孔部（図示省略）が形成されて固定板支持部材６１２と固定される。固定板６１１の他方の側は、撮像装置６が固定される。
【００７７】
固定片５０３には、図示省略する２つの孔部が形成されている。そして、固定片５０３と固定板支持部材６１２とは、ネジＳＣ４の螺合により、固定片５０３の前記孔部を介して固定される。また、固定板支持部材６１２と固定板６１１とは、ネジＳＣ４の螺合により、固定板６１１の孔部を介して固定される。
【００７８】
以上の組み立てにより、固定片５０３に装置固定部６１が設置される。なお、装置固定部６１に固定された撮像装置６は、プロジェクター７１の左側面部に位置する状態となる。そして、図６に示すように、撮像装置６は、投写画像の投写外形Ａより若干大きく設定される撮像外形Ｂの範囲を撮像する。
【００７９】
本実施形態のプロジェクター７１は、後述する撮像装置６と発光ペン（図示省略）とで、インタラクティブシステムを構成しており、プロジェクター７１から投写された画像を撮像装置６で撮像し、投写画像に対して行ったユーザーの発光ペンによる操作をプロジェクター７１内の制御部（図示省略）で認識可能となっている。なお、撮像装置６とプロジェクター７１とはケーブル（図示省略）により電気的に接続されている。
【００８０】
発光ペンは、ペン状の本体のペン先に、押圧スイッチと、赤外光を発する発光ダイオードとを備えている。そして、ユーザーが発光ペンのペン先を天板上面９０１ａに押し付ける操作を行うことにより押圧スイッチを押圧すると、発光ダイオードが発光する。
【００８１】
撮像装置６は、プロジェクター７１から投写された投写画像に対して行う発光ペンによる操作情報をプロジェクター７１に送信する。具体的には、撮像装置６は、発光ペンが発した赤外線を撮像し、撮像データ（操作情報）としてプロジェクター７１に送信する。プロジェクター７１は、撮像装置６から送信された撮像データに基づき、プロジェクター７１内部に格納される位置特定機能を起動させて、天板上面９０１ａにおいて、赤外線を発した位置を特定する。
【００８２】
本実施形態のプロジェクター７１と撮像装置６とは、図６に示すように、投写される画像の投写範囲となる投写外形Ａと、撮像装置６が撮像する撮像範囲となる撮像外形Ｂとは、プロジェクター７１内部で補正されて、それぞれの位置が対応するように設定されている。そして、プロジェクター７１は、上述したように、インタラクティブシステムとして構成されており、発光ペンで投写画像の所定の部分に対応して天板上面９０１ａを押圧した場合、押圧された位置（赤外線を発した位置）を特定し、発光ペンにより画像のどの部分が押されたのか、画像における位置と関連付けて処理する機能を有している。
【００８３】
インタラクティブシステムとしての使用例を示す。
ユーザーは、プロジェクター７１から、例えば、プロジェクター７１を制御するためのメニュー画像を投写させる。そして、ユーザーは、投写されたメニュー画像において、操作したいメニューに対応した位置となる天板上面９０１ａを電子ペンで押圧する。この動作により、プロジェクター７１は、赤外線を発した位置を、撮像装置６を介して特定して処理することにより、ユーザーは、その位置に対応したメニューを操作することができる。
【００８４】
上述した第２実施形態によれば、第１実施形態と同様の効果を得られる他、以下の効果が得られる。
【００８５】
本実施形態のテーブル設置装置２における固定部材６０は、基本的な構成として第１実施形態の固定部材５０に装置固定部６１を付加した構成となっている。そして、この装置固定部６１に撮像装置６を固定している。この構成により、第１実施形態と同様に、テーブル設置装置２は、クランプ部３０の変形による第１保持部材１０および固定部材６０への影響を抑制できる。これにより、プロジェクター７１から所定の投写形状（投写外形Ａ）で画像が投写され、撮像装置６は、所定の撮像外形Ｂの範囲を撮像し、発光ペンによる投写画像に対して行う操作情報をプロジェクター７１に送信することができる。従って、第１実施形態と同様に、投写された投写形状は所定の投写形状（投写外形Ａ）で投写され、歪むことを抑制できるため、所定の投写形状となるように調整する必要がなくなる。また、本実施形態では、撮像装置６の撮像外形Ｂも歪むことを抑制できるため、投写外形Ａに合わせる調整を行うことなく使用することができるため、テーブル設置装置２の利便性が向上する。
【００８６】
なお、上述した実施形態に限定されず、その要旨を逸脱しない範囲において種々の変更や改良などを加えて実施することが可能である。変形例を以下に述べる。
【００８７】
前記第１実施形態のテーブル設置装置１において、クランプ部３０は、ネジ部材３１とネジ保持部材３２とを備えている。しかし、これに限られず、クランプ部は、第２保持部材２０と接合され、天板９０１を第２保持部材２０との間に挟持可能な構成とすることでよい。これは、前記第２実施形態においても同様である。
【００８８】
前記第１実施形態のテーブル設置装置１において、ネジ保持部材３２は、ネジ部材３１を螺合して天板上面９０１ａに沿う方向に移動可能な移動部３３を有しているが、移動部３３を有していなくてもよい。これは、前記第２実施形態においても同様である。
【００８９】
前記第１実施形態のテーブル設置装置１において、第１保持部材１０および第２保持部材２０は、管状でＵ字状に形成されている。しかし、これに限られず、第１保持部材１０または第２保持部材２０の一方が、管状でＵ字状に形成されていてもよい。また、これは、前記第２実施形態においても同様である。
【００９０】
前記第１実施形態のテーブル設置装置１において、第１保持部材１０および第２保持部材２０は、管状でＵ字状に形成されている。しかし、これに限られず、第１保持部材１０および第２保持部材２０は、管状でＵ字状に形成されていなくてもよい。これは、前記第２実施形態においても同様である。
【００９１】
前記第１実施形態のテーブル設置装置１において、第１保持部材１０と第２保持部材２０とは溶接により接合されている。また、第２保持部材２０とクランプ部３０とは溶接により接合されている。しかし、これに限られず、接着固定、ネジによるネジ固定、ピンと孔との嵌合による固定等により、接合されていてもよい。これは、前記第２実施形態においても同様である。
【００９２】
前記第１実施形態のテーブル設置装置１において、クランプ部３０は、第２保持部材２０と接合されている。しかし、クランプ部３０は、プロジェクター７を固定している固定部材５０、第１保持部材１０、および固定部材５０や第１保持部材１０に直接接続されている部材以外の部材（第２保持部材２０を含めてそれ以外の部材）に接合されていてもよい。これは、前記第２実施形態においても同様である。
【００９３】
前記第２実施形態のテーブル設置装置２において、撮像装置６は、クランプ部３０の変形による影響を抑制できる固定部材６０に固定されている。しかし、これに限られず、クランプ部３０の変形による影響を抑制できる第１保持部材１０に固定されていてもよい。
【００９４】
前記第２実施形態のテーブル設置装置２において、撮像装置６を固定する装置固定部６１は、固定板６１１と固定板支持部材６１２とで構成されている。しかし、この構成には限られない。
【符号の説明】
【００９５】
１，２…テーブル設置装置、７，７１…プロジェクター、６…撮像装置、１０…第１保持部材、２０…第２保持部材、３０…クランプ部、３１…ネジ部材、３２…ネジ保持部材、３３…移動部、５０…固定部材、９００…テーブル、９０１…天板、９０１ａ…天板上面。
【図１】
2013238727.tif 000003
【図２】
2013238727.tif 000004
【図３】
2013238727.tif 000005
【図４】
2013238727.tif 000006
【図５】
2013238727.tif 000007
【図６】
2013238727.tif 000008
【図７】
2013238727.tif 000009